(57)【要約】【課題】本発明の目的は、実用性のあるゴミ回収情報を表示させる技術を提供することであり、特に、ゴミ回収時刻を考慮したゴミ回収情報を表示させる技術を提供することである。【解決手段】本発明のシステムは、ゴミ回収時刻を過ぎているか否かによって表示内容を変えるシステムであり、ゴミ回収地域と、ゴミ回収日と、回収終了情報とが対応付けられたデータベースと、選択されたゴミ回収地域に対応付けられているゴミ回収日と回収終了情報とを前記データベースから検索し、前記検索されたゴミ回収日に基づいて所定期間のゴミ回収日情報を表示させ、前記検索された回収終了情報に基づいて、前記所定期間のゴミ回収日情報のうちゴミの回収が終了した回収日を示す回収日情報には回収が終了したことを示す情報を付加して表示させる表示制御部とを有する。【選択図】図１
2008117123.tif 000002
【特許請求の範囲】
【請求項１】
ゴミ回収に関する情報を提供するゴミ回収情報提供システムであって、
ゴミ回収地域と、ゴミ回収日と、回収終了情報とが対応付けられたデータベースと、
選択されたゴミ回収地域に対応付けられているゴミ回収日と回収終了情報とを前記データベースから検索し、前記検索されたゴミ回収日に基づいて所定期間のゴミ回収日情報を表示させ、前記検索された回収終了情報に基づいて、前記所定期間のゴミ回収日情報のうちゴミの回収が終了した回収日を示す回収日情報には回収が終了したことを示す情報を付加して表示させる表示制御部と
を有することを特徴とするゴミ回収情報提供システム。
【請求項２】
前記回収終了情報が回収時刻を示す場合、前記表示制御部は、前記ゴミ回収日と回収時刻と現在の日時とに基づいて、前記所定期間のゴミ回収日情報のうち回収日時を過ぎた回収日情報に回収が終了したことを示す情報を付加して表示させることを特徴とする請求項１に記載のゴミ回収情報提供システム。
【請求項３】
ゴミの回収が終了した地域に関する回収終了地域情報を送信する送信手段と、
前記送信された回収終了地域情報に基づいて、前記ゴミの回収が終了した地域に対応するゴミ回収地域を前記データベースの中から検索し、検索されたゴミ回収地域に対応付けられている回収終了情報に、ゴミ回収が終了したことを示す情報又はゴミ回収が終了した時刻を示す回収時刻を登録する登録部と
を有することを特徴とする請求項１又は請求項２に記載のゴミ回収情報提供システム。
【請求項４】
前記表示制御部は、所定期間の日付を表示し、この所定期間の日付のうち該当する日付にゴミ回収日情報を付加して表示させることを特徴とする請求項１から請求項３のいずれかに記載のゴミ回収情報提供システム。
【請求項５】
ゴミ回収に関する情報を提供するゴミ回収情報提供装置であって、
ゴミ回収地域と、ゴミ種別と、ゴミ回収日と、回収終了情報とが対応付けられたデータベースと、
選択されたゴミ回収地域に対応付けられているゴミ種別とゴミ回収日と回収終了情報とを前記データベースから検索し、前記検索されたゴミ種別とゴミ回収日とに基づいて所定期間のゴミ回収日情報とゴミ種別とを表示させ、前記検索された回収終了情報に基づいて、前記所定期間のゴミ回収日情報のうちゴミの回収が終了した回収日である回収日情報には回収が終了したことを示す情報を付加して表示させる表示制御部と
を有することを特徴とするゴミ回収情報提供装置。
【請求項６】
前記回収終了情報が回収時刻を示す場合、前記表示制御部は、その回収時刻と現在の日時とに基づいて、前記所定期間のゴミ回収日情報のうち回収日時を過ぎた回収日情報に回収が終了したことを示す情報を付加して表示させることを特徴とする請求項５に記載のゴミ回収情報提供装置。
【請求項７】
ゴミの回収が終了した地域に関する回収終了地域情報を受信する受信手段と、
前記受信した回収終了地域情報に基づいて、ゴミの回収が終了した地域に対応するゴミ回収地域を前記データベースの中から検索し、検索されたゴミ回収地域に対応付けられている回収終了情報に、ゴミ回収が終了したことを示す情報又はゴミ回収が終了した時刻を示す回収時刻を登録する登録部と
を有することを特徴とする請求項５又は請求項６に記載のゴミ回収情報提供装置。
【請求項８】
前記表示制御部は、所定期間の日付を表示し、この所定期間の日付のうち該当する日付にゴミ回収日情報を付加して表示させることを特徴とする請求項５から請求項７のいずれかに記載のゴミ回収情報提供装置。
【請求項９】
ゴミ回収に関する情報を提供するゴミ回収情報提供装置のプログラムであって、前記プログラムは前記ゴミ回収情報提供装置を、
ゴミ回収地域とゴミ種別とゴミ回収日と回収終了情報とが対応付けられたデータベースから、選択されたゴミ回収地域に対応付けられているゴミ種別とゴミ回収日と回収終了情報とを検索する検索手段と、
前記検索されたゴミ種別とゴミ回収日とに基づいて所定期間のゴミ回収日情報とゴミ種別とを表示させ、前記検索された回収終了情報に基づいて、前記所定期間のゴミ回収日情報のうちゴミの回収が終了した回収日を示す回収日情報には回収が終了したことを示す情報を付加して表示させる表示制御部と
して機能させることを特徴とするプログラム。
【発明の詳細な説明】
【技術分野】
【０００１】
本発明は、ゴミ回収に関する情報を提供する技術に関し、特にゴミ回収時刻を考慮したゴミ回収情報を提供する技術に関する。
【背景技術】
【０００２】
一般に、ゴミ回収の仕組みは地域によって異なり、ゴミの種別、ゴミの回収日等が地域によって千差万別である。ゴミを回収してもらう側から見ると、ゴミ回収日やその回収日に回収するゴミの種別の情報がカレンダーに書き込まれているような形式で示される方がわかりやすい。そのため、例えば特許文献１のように、ゴミ回収に関する情報をカレンダー形式で表示させるシステムが提案されている。
【特許文献１】特開２００６-１７８９４０号公報
【発明の開示】
【発明が解決しようとする課題】
【０００３】
しかしながら、実際に、ゴミ回収日やその回収日に回収するゴミの種別の情報をカレンダー形式で表示させても、ゴミを回収してもらう側にとっては満足のいくものではなかった。
【０００４】
これは、一般的にゴミ回収は１日に１回であり、例えば、可燃ゴミや不燃ゴミの回収を自治体で行い、資源ゴミの回収を業者に委託している場合、ゴミ回収時刻は回収するゴミの種類によって異なるため、ゴミ回収時間まで考慮した情報を表示させなければゴミ回収の機会を逃してしまう可能性があるからである。また、引越し先等のように居住区ではない地域のゴミ回収情報の提供を受ける場合、ゴミ回収時間を知る術が無く、ゴミ回収時間の表示がないと不便である。従って、上記特許文献１のシステムは、実用性があるとは言えなかった。
【０００５】
また、例えば、隔週のゴミ回収であったり、月に１度のゴミ回収であったりすると、ゴミ回収に関する情報をカレンダー形式で表示させてゴミ回収日を前もって視認していても忘れてしまい、当日のゴミ回収時刻の頃にゴミ回収日であることを思い出すことがある。このような場合、ゴミを回収してもらう側は、既にゴミ回収が終了しているか否かの情報を取得することができると非常に便利であるが、上記特許文献１のシステムでは、ゴミを回収してもらう側が切望する情報の提供が受けられない。
【０００６】
そこで、本発明が解決しようとする課題は、上記問題点を解決することにあり、実用性のあるゴミ回収情報を表示させる技術を提供することにある。
【課題を解決するための手段】
【０００７】
上記課題を解決するための第１の発明は、
ゴミ回収に関する情報を提供するゴミ回収情報提供システムであって、
ゴミ回収地域と、ゴミ回収日と、回収終了情報とが対応付けられたデータベースと、
選択されたゴミ回収地域に対応付けられているゴミ回収日と回収終了情報とを前記データベースから検索し、前記検索されたゴミ回収日に基づいて所定期間のゴミ回収日情報を表示させ、前記検索された回収終了情報に基づいて、前記所定期間のゴミ回収日情報のうちゴミの回収が終了した回収日情報には回収が終了したことを示す情報を付加して表示させる表示制御部と
を有することを特徴とする。
【０００８】
上記課題を解決するための第２の発明は、上記第１の発明において、
前記回収終了情報が回収時刻を示す場合、前記表示制御部は、前記ゴミ回収日と回収時刻と現在の日時とに基づいて、前記所定期間のゴミ回収日情報のうち回収日時を過ぎた回収日を示す回収日情報に回収が終了したことを示す情報を付加して表示させることを特徴とする。
【０００９】
上記課題を解決するための第３の発明は、上記第１又は第２の発明において、
ゴミの回収が終了した地域に関する回収終了地域情報を送信する送信手段と、
前記送信された回収終了地域情報に基づいて、前記ゴミの回収が終了した地域に対応するゴミ回収地域を前記データベースの中から検索し、検索されたゴミ回収地域に対応付けられている回収終了情報に、ゴミ回収が終了したことを示す情報又はゴミ回収が終了した時刻を示す回収時刻を登録する登録部と
を有することを特徴とする。
【００１０】
上記課題を解決するための第４の発明は、上記第１から第３のいずれかの発明において、
前記表示制御部は、所定期間の日付を表示し、この所定期間の日付のうち該当する日付にゴミ回収日情報を付加して表示させることを特徴とする。
【００１１】
上記課題を解決するための第５の発明は、
ゴミ回収に関する情報を提供するゴミ回収情報提供装置であって、
ゴミ回収地域と、ゴミ種別と、ゴミ回収日と、回収終了情報とが対応付けられたデータベースと、
選択されたゴミ回収地域に対応付けられているゴミ種別とゴミ回収日と回収終了情報とを前記データベースから検索し、前記検索されたゴミ種別とゴミ回収日とに基づいて所定期間のゴミ回収日情報とゴミ種別とを表示させ、前記検索された回収終了情報に基づいて、前記所定期間のゴミ回収日情報のうちゴミの回収が終了した回収日の回収日情報には回収が終了したことを示す情報を付加して表示させる表示制御部と
を有することを特徴とする。
【００１２】
上記課題を解決するための第６の発明は、上記第５の発明において、
前記回収終了情報が回収時刻を示す場合、前記表示制御部は、その回収時刻と現在の日時とに基づいて、前記所定期間のゴミ回収日情報のうち回収日時を過ぎた回収日情報に回収が終了したことを示す情報を付加して表示させることを特徴とする。
【００１３】
上記課題を解決するための第７の発明は、上記第５又は第６の発明において、
ゴミの回収が終了した地域に関する回収終了地域情報を受信する受信手段と、
前記受信した回収終了地域情報に基づいて、ゴミの回収が終了した地域に対応するゴミ回収地域を前記データベースの中から検索し、検索されたゴミ回収地域に対応付けられている回収終了情報に、ゴミ回収が終了したことを示す情報又はゴミ回収が終了した時刻を示す回収時刻を登録する登録部と
を有することを特徴とする。
【００１４】
上記課題を解決するための第８の発明は、上記第５から第７のいずれかの発明において、
前記表示制御部は、所定期間の日付を表示し、この所定期間の日付のうち該当する日付にゴミ回収日情報を付加して表示させることを特徴とする。
【００１５】
上記課題を解決するための第９の発明は、
ゴミ回収に関する情報を提供するゴミ回収情報提供装置のプログラムであって、前記プログラムは前記ゴミ回収情報提供装置を、
ゴミ回収地域とゴミ種別とゴミ回収日と回収終了情報とが対応付けられたデータベースから、選択されたゴミ回収地域に対応付けられているゴミ種別とゴミ回収日と回収終了情報とを検索する検索手段と、
前記検索されたゴミ種別とゴミ回収日とに基づいて所定期間のゴミ回収日情報とゴミ種別とを表示させ、前記検索された回収終了情報に基づいて、前記所定期間のゴミ回収日情報のうちゴミの回収が終了した回収日を示す回収日情報には回収が終了したことを示す情報を付加して表示させる表示制御部と
して機能させることを特徴とする。
【００１６】
本発明は、ゴミ回収時間を過ぎると、表示させるゴミ回収情報を更新することを特徴とする。
【発明の効果】
【００１７】
本発明によると、ゴミ回収の時刻を考慮したゴミ回収情報を表示させる構成をしているため、実用性のあるゴミ回収情報を表示させることができる。
【発明を実施するための最良の形態】
【００１８】
一般的に、ゴミ回収は、自治体のようなゴミ回収の管理者が、住所等に基づいて管轄の地区を幾つかの地域に分け、地域毎にゴミ回収の曜日、回収するゴミの種類等を定めて行われている。本発明のゴミ回収情報提供システムは、このようにゴミ回収の管理者が定めたゴミ回収に関する各種情報を提供するものであり、ユーザが情報提供をリクエストしてきた時間によって、提供するゴミ回収情報の内容を変更するシステムである。
【００１９】
本発明の特徴を説明するために、以下において、図面を参照して具体的に述べる。
【００２０】
図１は、本発明における第１の実施の形態のゴミ回収情報提供システムのブロック図である。
【００２１】
本発明のゴミ回収情報提供システムは、ゴミ回収に関する情報を提供するゴミ回収情報提供装置１０と、ユーザが所望の情報をゴミ回収情報提供装置１０から得るために用いる端末２０とを有する。
【００２２】
ゴミ回収情報提供装置１０は、端末２０とのデータの送受信を行う送受信部１１と、地域毎のゴミ回収に関する各種情報が対応付けられているデータベースを保持するゴミ回収情報格納部１２と、端末２０からのリクエストに応答して、ゴミ回収情報格納部１２に格納されているデータを読み出して端末２０に送信するデータ処理部１３とを有する。
【００２３】
ゴミ回収情報提供装置１０のゴミ回収情報格納部１２が保持しているデータベースには、図２に示すように、ゴミ回収地域情報とゴミ種別情報とゴミ回収日情報と回収終了情報と特別休日情報とが互いに対応付けられている。
【００２４】
ゴミ回収地域情報は、ゴミ回収の管理者によって区分けられた地域を一意に識別する識別情報である。尚、以下の説明において、ゴミ回収地域情報はゴミ回収管理者によって区分けられた地域を示す名称を用いて説明するが、名称に限らず、例えばその地域を一意に識別する番号等であっても良い。
【００２５】
ゴミ種別情報は、ゴミ回収の管理者がゴミを所定の条件に基づいて種類分けしたゴミの種別を一意に識別する情報であり、例えば、生ゴミ等の燃やせるゴミを可燃ゴミ、プラスチック等の燃やすと有害物質を発生するゴミを不燃ゴミ、ビン・カン等のリサイクルできるゴミを資源ゴミというようなゴミ種別の情報である。
【００２６】
ゴミ回収日情報は、ゴミ回収の管理者が地域毎に定めたゴミ回収の日に関する情報が記される。このゴミ回収日情報は、ゴミを回収する日付（年月日）やゴミを回収する日にち（毎月×日）やゴミを回収する曜日であっても良いが、以下の説明では主にゴミ回収の曜日が記されている場合を用いて説明する。
【００２７】
回収終了情報は、地域毎のゴミ回収の時刻であり、ゴミ管理者が定めている時刻や、その地域のゴミ回収が行われる一般的な時刻である。
【００２８】
特別休日情報は、年末・年始等のようにゴミ回収が行われない日を考慮してゴミ回収の情報を提供するために設けられている情報であり、ゴミ回収日情報に通常のゴミ回収日として記されていてもゴミ回収しない日を示す情報である。尚、特別休日情報は、地域ごとに指定しても、ゴミ種別ごとに指定してもよく、特別休日が指定されていない場合は空欄である。
【００２９】
端末２０は、ＰＣ（Ｐｅｒｓｏｎａｌ  Ｃｏｍｐｕｔｅｒ）や携帯端末である。端末２０は、ゴミ回収情報提供装置１０とのデータの送受信を行う送受信部２１と、ゴミ回収情報提供装置１０から送信されてきたデータを処理するデータ処理部２２と、表示画面２３とを有する。
【００３０】
続いて、本発明のゴミ回収情報提供システムの動作について図３を用いて説明する。尚、以下の説明において、データベースは図２に示されるものを用い、また、１週間以内のゴミ回収情報を表示する場合を用いて説明する。
【００３１】
ユーザは、所望する地域のゴミ回収情報を得るために、端末２０を用いて所望の地域を選択する（ステップＳ１０１）。地域を選択する方法としては、図４に示すような画面に従って、郵便番号や住所を入力することによって地域を選択しても良いし、図５に示すような画面に従って、地図又は地域の名称から所望の地域を選択しても良い。
【００３２】
地域が選択されると、データ処理部２２は、選択された地域を一意に識別する地域識別情報が記されたリクエスト情報を送受信部２１を介して送信する（ステップＳ１０２）。本動作の説明では、Ａ地域を選択したものとする。
【００３３】
ゴミ回収情報提供装置１０のデータ処理部１３は、送受信部１１を介してリクエスト情報を受信すると、ゴミ回収情報提供装置１０自身が保持している時計から、現在の年月日と時刻とを取得する（ステップＳ１０３）。ここでは、取得した年月日は２００６年１０月１０日であり、時刻は１０時１０分だったとする。
【００３４】
データ処理部１３は、取得した年月日がその月の第何週目の何曜日であるかを算出する（ステップＳ１０４）。ここでは、第２週目の火曜日であるとする。
【００３５】
更に、受信したリクエスト情報の地域識別情報に基づいてゴミ情報格納部１２のデータベースからこの地域識別情報を検索する（ステップＳ１０５）。
【００３６】
ゴミ情報格納部１２からＡ地域を検索すると、まず、このＡ地域に対応付けられている特別休日情報を読み出し、取得した年月日から１週間以内に読み出した特別休日が該当するかを判断する（ステップＳ１０６）。ここでは、２００６年１０月１０日から２００６年１０月１６日までの一週間の間に特別休日“１２月２８日〜１月３日”は該当しないと判断される。
【００３７】
データ処理部１３は、更に、Ａ地域に対応付けられているゴミ種別情報とゴミ回収日情報を読み出し、取得した年月日と算出した曜日とから１週間以内に当てはまるゴミ回収日情報を確認して表示情報を生成する（ステップＳ１０７）。ここでは、２００６年１０月１０日火曜日が可燃ゴミ、２００６年１０月１２日木曜日が不燃ゴミ、２００６年１０月１３日金曜日が可燃ゴミ、２００６年１０月１５日日曜日が資源ゴミであることを示す表示情報を生成する。
【００３８】
一方、ステップＳ１０６で、取得した年月日から１週間以内に読み出した特別休日が該当すると判断された場合、データ処理部１３は、その日がゴミ回収日であっても、ゴミ回収日から削除して表示情報を生成する（ステップＳ１０８）。
【００３９】
データ処理部１３は、算出した曜日が読み出した回収日情報の中に含まれているかを判定し、含まれている場合は、算出した曜日が含まれている回収日情報に対応付けられている回収終了情報を読み出し、取得した時刻とする（ステップＳ１０９）。ここでは、算出した曜日である火曜日が、先ほど読み出したゴミ回収情報に含まれているので、そのゴミ回収日情報に対応付けられている“８時００分”と“１０時１０分”とを比較する。
【００４０】
比較の結果、取得した時刻がゴミ回収日情報に記されているゴミ回収時刻を過ぎている場合には、ゴミ回収が終了していることを示す情報を表示情報に付加する（ステップＳ１１０）。比較の結果、ゴミ回収が終了していないと判断された場合は、ステップＳ１１０に進む。ここでは、２００６年１０月１０日火曜日の可燃ゴミの回収が終了していることを示す情報を付加する。
【００４１】
データ処理部１３は、生成した表示情報を送受信部１１を介して端末２０に送信する（ステップＳ１１１）。
【００４２】
データ処理部２２は、送受信部２１を介して受信した表示情報に基づいて、表示画面２３にゴミ回収情報を表示する（ステップＳ１１２）。この時の表示画面の１例を図６に示す。
【００４３】
尚、上記実施の形態では、１週間以内のゴミ回収情報を表示させる構成を用いて説明したが、例えば、その月の全日付を表示させて、該当する日付にゴミ回収情報を表示させるように構成させても良い。
【００４４】
また、上記実施の形態では、ゴミ回収時刻が過ぎた場合に表示内容を変更する構成を用いて説明したが、ゴミ回収時刻が近づいてくると、例えばカウントダウンのような形で、ゴミ回収時刻が近づいてきていることを示す情報を付加して表示させたり、表示情報の一部を点滅させたりする機能を追加しても良い。
【００４５】
また、上記実施の形態では、カレンダー形式で表示させる構成を用いて説明したが、ゴミ回収のある日付だけを時系列で表示させても、ゴミ種別毎にゴミ回収の日付を時系列で表示させる構成であっても良い。
【００４６】
次に、上記実施の形態とは別の実施形態について説明する。
【００４７】
上述した実施の形態では、回収終了情報には、前もって、その地域の通常のゴミ回収時刻を記憶させていた。本第２の実施の形態では、ゴミ回収車から実際にゴミ回収が終了した地域の情報を受信して、回収終了情報に書き込んでいく場合について説明する。尚、上記実施の形態と同様の構成については同一番号を付し、詳細な説明は省略する。
【００４８】
図７は、本実施例のブロック図である。上記実施例に加えて、ゴミ回収車３０が追加されている。
【００４９】
ゴミ回収車３０には、ゴミ回収終了情報を生成する生成部３１と、送信部３２とを有する。
【００５０】
生成部３１は、ゴミ回収が終了すると、ゴミ回収が終了した地域を示す地域識別情報と、ゴミ回収終了日と、ゴミ回収終了時刻とを含む終了情報を生成する。
【００５１】
送信部３２は、生成部３１が生成した終了情報をゴミ回収情報提供装置１０に送信する。
【００５２】
ゴミ回収情報提供装置１０のデータ処理部１３は、上記実施例の機能に加えて、日付が変わると全地域の回収終了情報を削除する機能を有する。これは、以前の回収終了情報が残っていると、ゴミ回収が終了していないにも関わらず、ゴミ回収が終了したと判断されるのを防ぐためである。
【００５３】
つづいて、動作について図８を用いて説明する。
【００５４】
生成部３１は、ゴミ回収が終了すると、ゴミ回収が終了した地域を示すゴミ回収地域情報と、ゴミ回収終了日とゴミ回収時刻とを含む終了情報を生成し、送信部３２を介して送信する（ステップＳ２０１）。
【００５５】
ゴミ回収情報提供装置１０のデータ処理部１３は、送受信部１１を介して終了情報を受信すると、この終了情報の地域識別情報に基づいて、ゴミ回収情報格納部のデータベースから、この地域識別情報を検索する（ステップＳ２０２）。
【００５６】
データ処理部１３は、受信した終了情報のゴミ回収終了日に基づいて曜日を算出する（ステップＳ２０３）。
【００５７】
データ処理部１３は、検索した地域識別情報に対応付けられているゴミ回収日情報の中から、算出した曜日が当てはまるゴミ回収日情報を検索し、ゴミ回収終了日時の時刻を対応付けて記憶させる（ステップＳ２０４）。
【００５８】
データ処理部１３は、日付が変わると（ステップＳ２０５）、全地域の回収終了情報を削除する（ステップＳ２０６）。
【００５９】
以降の動作は、上記実施例のステップＳ１０１〜ステップＳ１１２と同様であるため、省略する。
【００６０】
ここでは、ゴミ回収車がゴミ回収終了日とゴミ回収終了時刻とを送信する構成を用いて説明したが、ゴミ回収車はゴミ回収が終了した地域を識別する地域識別情報のみを送信しても良い。この場合、データ処理部１３は、データベースのゴミ回収終了情報にフラグを立て、フラグが立っている場合はゴミ回収が終了したと判断する。
【００６１】
また、ゴミ回収車はゴミ回収が終了した地域を識別する地域識別情報のみを送信し、データ処理部は地域識別情報を受信した時刻をデータベースのゴミ回収終了情報に記憶させても良い。
【００６２】
上述の第１及び第２の実施の形態のゴミ回収情報提供システムは、メール配信によって情報を提供しても良い。第３の実施の形態では、この場合について説明するが、上記実施の形態と同様の構成については同一の番号を付し、詳細な説明を省略する。
【００６３】
本実施の形態と上記実施の形態とで相違する部分は、ゴミ回収情報提供装置１０のデータ処理部１３の機能である。データ処理部１３は、現在の時刻とメール配信する時刻とを比較し、現在の時刻がメール配信の時刻になると、その時刻を現在の年月日と時刻として取得する機能を有する。
【００６４】
本実施の形態の動作について説明する。尚、以下の説明において、メール配信する時刻と、メール配信でゴミ回収情報を提供する地域とは既に定められているものとして説明する。
【００６５】
ゴミ回収情報提供装置１０のデータ処理部１３は、現在の時刻とメール配信する時刻とを比較し（ステップＳ３０１）、現在の時刻がメール配信の時刻になると、その時刻を現在の年月日と時刻として取得する（ステップＳ３０２）。
【００６６】
以降の処理は、上記ステップＳ１０４〜ステップＳ１１２と同一であるため、説明を省略する。尚、ここでは、第１の実施の形態を用いて説明したが、第２の実施の形態に対応させても良い。
【００６７】
さらに、上述の第１及び第２の実施の形態のゴミ回収情報提供システムは、データ放送によって情報を提供しても良い。第４の実施の形態では、この場合について説明するが、上記実施の形態と同様の構成については同一の番号を付し、詳細な説明を省略する。
【００６８】
図９は、本実施の形態のゴミ回収情報提供システムのブロック図である。
【００６９】
ゴミ回収情報提供装置１０は放送局に設置され、端末２０はデータ放送を受信して視聴できる装置である。
【００７０】
ゴミ回収情報提供装置１０は、ゴミ回収情報格納部１２と、コンテンツ生成部１４と、データカルーセル送出部１５とを有する。
【００７１】
コンテンツ生成部１４は、日付が変わる度に、全地域の１週間以内のゴミ回収日情報のコンテンツを生成する。この時に生成されるゴミ回収日情報のコンテンツは、ゴミ回収終了時刻が考慮されていないゴミ回収日情報のコンテンツである。さらに、ゴミ回収情報格納部１２に格納されているデータベースの全地域のゴミ回収終了情報を確認し、その時刻が来るとデータカルーセル送出部１４が送出するゴミ回収情報のコンテンツを更新する。
【００７２】
データカルーセル送出部１５は、コンテンツ生成部１４が生成したゴミ回収情報のコンテンツを定期的に送出する。
【００７３】
端末２０は、データ処理部２２と、表示画面２３と、ゴミ回収情報のコンテンツを受信する受信部２４とを有する。
【００７４】
以下に、本実施の形態の動作について図１０を用いて説明する。尚、以下の説明において、コンテンツ生成部１４は、ゴミ回収情報格納部１２に格納されているデータベースの全地域のゴミ回収終了情報の時刻を確認し、その時刻をコンテンツ更新時刻として保持しているものとして説明する。
【００７５】
コンテンツ生成部１４は、ゴミ回収情報提供装置１０自身が保持している時計から現在の年月日と時刻とを取得して日付が変わったかを判別する（ステップＳ４０１）。
【００７６】
日付が変わったと判別されると、コンテンツ生成部１４は、取得した年月日がその月の第何週目の何曜日であるかを算出する（ステップＳ４０２）。
【００７７】
更に、ゴミ情報格納部１２のデータベースに記憶されている全地域の１週間以内に当てはまるゴミ回収日情報のコンテンツを生成し、データカルーセル送出部１５を介して送信する（ステップＳ４０３）。
【００７８】
一方、コンテンツ生成部１４は、現在の時刻がデータ更新時刻であるかを判定する（ステップＳ４０４）。
【００７９】
現在の時刻が更新時刻である場合、その時刻がゴミ回収終了情報に記されている地域にゴミ回収が終了したことを示す情報を付加したゴミ回収日情報のコンテンツに更新し、データカルーセル送出部１５を介して送信する（ステップＳ４０４）。
【００８０】
端末２０のデータ処理部２２は、受信部２１を介して受信したゴミ回収情報のコンテンツに基づいて、ユーザが所望する地域のゴミ回収情報を表示画面２３にゴミ回収情報を表示する（ステップＳ４０５）。
【００８１】
上記本実施の形態の説明では、第１の実施の形態を用いて説明したが、第２の実施の形態に対応させても良い。
【００８２】
尚、上述した本発明の各構成部は、上記説明からも明らかなように、ハードウェアで構成することも可能であるが、コンピュータプログラムにより実現することも可能である。
【００８３】
この場合、プログラムメモリに格納されているプログラムで動作するプロセッサによって、上述した実施の形態と同様の機能、動作を実現させる。
【００８４】
尚、上記説明において、端末２０からリクエストがある度に、表示画面を生成する構成を用いて説明したが、日付が変わった際に、回収時刻が過ぎる前に表示させる表示画面（ゴミ回収がまだ終わっていないことを示した表示画面）と回収時刻が過ぎた後に表示させる表示画面（ゴミ回収が終了したことを示した表示画面）とを生成しておき、端末２０からのリクエスト時にどちらの表示画面を端末２０に送信するかを判断し、現在の時刻が回収時刻を過ぎている場合はゴミ回収が終了したことを示した表示画面を表示させる構成であっても良い。これは、第３及び第４の実施の形態も同様である。
【図面の簡単な説明】
【００８５】
【図１】図１は、本発明の第１の実施の形態のブロック図である。
【図２】図２は。データベースの一例である。
【図３】図３は、本発明の第1の実施の形態の動作を説明するためのフロー図である。
【図４】図４は、地域選択画面の一例である。
【図５】図５は、地域選択画面の一例である。
【図６】図６は、ゴミ回収情報表示画面の一例である。
【図７】図７は、本発明の第２の実施の形態のブロック図である。
【図８】図８は、本発明の第２の実施の形態の動作を説明するためのフロー図である。
【図９】図９は、本発明の第３の実施の形態のブロック図である。
【図１０】図１０は、本発明の第３の実施の形態の動作を説明するためのフロー図である。
【符号の説明】
【００８６】
１０          ゴミ回収情報提供装置
１１          送受信部
１２          ゴミ回収情報格納部
１３          データ処理部
１４          コンテンツ生成部
１５          データカルーセル送信部
２０          端末
２１          送受信部
２２          データ処理部
２３          表示画面
２４          受信部
【図１】
2008117123.tif 000003
【図２】
2008117123.tif 000004
【図３】
2008117123.tif 000005
【図４】
2008117123.tif 000006
【図５】
2008117123.tif 000007
【図６】
2008117123.tif 000008
【図７】
2008117123.tif 000009
【図８】
2008117123.tif 000010
【図９】
2008117123.tif 000011
【図１０】
2008117123.tif 000012